(57)【要約】【課題】  スタンドとして機能するカバーの起立状態の安定性を確保し、利便性の向上等を図る。【解決手段】  ストラップ取付部６ｃ、６ｃを有する装置本体２と、該装置本体に対して情報入力を行うための入力ペン３と、入力ペンを装置本体に吊り下げるストラップ４と、装置本体の保護が可能なカバー５とを設け、該カバーに装置本体の各面に対向して位置される複数の保護面部２１、２２、２３、２４を設け、カバーを複数の保護面部がそれぞれ折り曲げ部２６、２７、２８、２９を介して連結することにより折り曲げ可能とし、カバーの側縁に係止用凹部２２ｂ、２２ｂ、２４ｃ、２４ｃを形成し、カバーにストラップを止着するフック部３０、３０、３０を設け、カバーを所定の形状に折り曲げた状態で、ストラップを係止用凹部に係止すると共にフック部に係合して止着して、カバーを装置本体を立て掛けるスタンドとして使用可能とした。【選択図】図１
2006155050.tif 000002
【特許請求の範囲】
【請求項１】
ストラップ取付部を有すると共に手書入力の対象となる装置本体と、
該装置本体に対して情報入力を行うための入力ペンと、
一端部が装置本体のストラップ取付部に取り付けられて入力ペンを装置本体に吊り下げるストラップと、
装置本体を外側から覆うことにより該装置本体の保護が可能なカバーとを備え、
該カバーは装置本体の外形状に対応して装置本体の各面に対向して位置される複数の保護面部を有し、
カバーは複数の保護面部がそれぞれ折り曲げ部を介して連結されることにより折り曲げ可能とされ、
カバーの側縁に、ストラップ取付部に取り付けられたストラップを係止する少なくとも１つの係止用凹部を形成し、
カバーの少なくとも１つの保護面部にストラップ取付部に取り付けられたストラップを止着するフック部を設け、
上記カバーを所定の形状に折り曲げた状態で、ストラップを係止用凹部に係止すると共にフック部に係合して止着して、カバーを装置本体を立て掛けるスタンドとして使用可能とした
ことを特徴とする手書き入力装置。
【請求項２】
上記フック部を複数設け、
上記ストラップを伸縮自在にした
ことを特徴とする請求項１に記載の手書き入力装置。
【請求項３】
上記カバーの保護面部の内部に板状の保護材を配置した
ことを特徴とする請求項１に記載の手書き入力装置。
【請求項４】
上記装置本体に各種の情報が表示されるディスプレイを設け、
カバーによって装置本体が保護されたときに、保護材が配置された保護面部を上記ディスプレイに対向して位置させるようにした
ことを特徴とする請求項１に記載の手書き入力装置。
【発明の詳細な説明】
【技術分野】
【０００１】
本発明は手書き入力装置についての技術分野に関する。詳しくは、ストラップを用いてスタンドとしても機能するカバーの起立状態の安定性を確保し、利便性の向上等を図る技術分野に関する。
【背景技術】
【０００２】
近年、各種の情報を手書き入力装置の装置本体に対して入力ペンを用いて入力することが行われている。このような手書き入力装置としては、例えば、パーソナルコンピューターやＰＤＡ（Personal Digital Assistance）等があり、入力ペンは装置本体からの脱落等を防止するためのストラップによって装置本体に吊り下げられる場合がある。
【０００３】
一方、手書き入力装置等の電子機器にあっては、装置本体を保護するためのカバーを有し、このカバーが装置本体を立て掛けるためのスタンドとしても機能するものがある（例えば、特許文献１参照）。
【０００４】
【特許文献１】特開２００３−１８９１４５号公報
【発明の開示】
【発明が解決しようとする課題】
【０００５】
ところが、特許文献１に記載された上記した例にあっては、カバーをスタンドとして用いたときの起立状態の保持を、カバーの先端縁（特許文献１にあっては後端縁４４ａ）を規制部（特許文献１にあっては規制突条４７）に突き当てるだけにより行っているため、起立状態が不安定であるという問題がある。
【０００６】
そこで、起立状態の安定化を図るために、カバーの一部に脚立等の保持機構を設けることが考えられるが、この場合には、保持機構を設ける分、大型化や重量化という不具合を生じる他、製造コストの増大をも来たしてしまう。
【０００７】
また、簡易な手段として着脱可能なテープ、例えば、所謂マジックテープ（登録商標）を貼り付ける手段を採用することが可能であるが、この場合には、繰り返し使用によるテープの劣化のおそれがあり、長期に亘って起立状態の安定化を図ることが困難であるという問題が生じる。
【０００８】
そこで、本発明手書き入力装置は、上記した問題点を克服し、スタンドとして機能するカバーの起立状態の安定性を確保し、利便性の向上等を図ることを課題とする。
【課題を解決するための手段】
【０００９】
本発明手書き入力装置は、上記した課題を解決するために、ストラップ取付部を有すると共に手書入力の対象となる装置本体と、該装置本体に対して情報入力を行うための入力ペンと、一端部が装置本体のストラップ取付部に取り付けられて入力ペンを装置本体に吊り下げるストラップと、装置本体を外側から覆うことにより該装置本体の保護が可能なカバーとを設け、該カバーに装置本体の外形状に対応して装置本体の各面に対向して位置される複数の保護面部を設け、カバーを複数の保護面部がそれぞれ折り曲げ部を介して連結することにより折り曲げ可能とし、カバーの側縁に、ストラップ取付部に取り付けられたストラップを係止する少なくとも１つの係止用凹部を形成し、カバーの少なくとも１つの保護面部にストラップ取付部に取り付けられたストラップを止着するフック部を設け、上記カバーを所定の形状に折り曲げた状態で、ストラップを係止用凹部に係止すると共にフック部に係合して止着して、カバーを装置本体を立て掛けるスタンドとして使用可能としたものである。
【００１０】
従って、本発明手書き入力装置にあっては、係止用凹部に係止されると共にフック部に止着されたストラップによって、スタンドとして機能するカバーの起立状態が保持される。
【発明の効果】
【００１１】
本発明手書き入力装置は、ストラップ取付部を有すると共に手書入力の対象となる装置本体と、該装置本体に対して情報入力を行うための入力ペンと、一端部が装置本体のストラップ取付部に取り付けられて入力ペンを装置本体に吊り下げるストラップと、装置本体を外側から覆うことにより該装置本体の保護が可能なカバーとを備え、該カバーは装置本体の外形状に対応して装置本体の各面に対向して位置される複数の保護面部を有し、カバーは複数の保護面部がそれぞれ折り曲げ部を介して連結されることにより折り曲げ可能とされ、カバーの側縁に、ストラップ取付部に取り付けられたストラップを係止する少なくとも１つの係止用凹部を形成し、カバーの少なくとも１つの保護面部にストラップ取付部に取り付けられたストラップを止着するフック部を設け、上記カバーを所定の形状に折り曲げた状態で、ストラップを係止用凹部に係止すると共にフック部に係合して止着して、カバーを装置本体を立て掛けるスタンドとして使用可能としたことを特徴とする。
【００１２】
従って、ストラップによってカバーの各部の載置面に対する倒れが防止され、カバーの載置面に対する安定した起立状態を確保することができる。
【００１３】
また、カバーの載置面に対する安定した起立状態を確保するために、予め付設されたストラップを用いているため、カバーに安定した起立状態を確保するための別の保持機構を設ける必要がなく、手書き入力装置の大型化や重量化等を来たすことなく、簡易な構成により起立状態の安定化を図ることができる。
【００１４】
請求項２に記載した発明にあっては、上記フック部を複数設け、上記ストラップを伸縮自在にしたので、ストラップの長さを調節して任意のフック部にストラップを止着することにより、スタンドとして用いたカバーの載置面に対する傾斜角度が変更可能であり、カバーに立て掛けられる装置本体を所望の角度に設定することができる。
【００１５】
請求項３に記載した発明にあっては、上記カバーの保護面部の内部に板状の保護材を配置したので、カバーの剛性が高く、載置面に対する安定した起立状態を確保することができ、また、カバーに装置本体を安定した状態で立て掛けることができるため、立て掛けた状態における装置本体に対する操作性の向上を図ることができる。
【００１６】
請求項４に記載した発明にあっては、上記装置本体に各種の情報が表示されるディスプレイを設け、カバーによって装置本体が保護されたときに、保護材が配置された保護面部を上記ディスプレイに対向して位置させるようにしたので、外部からの衝撃等によるディスプレイの損傷を防止することができる。
【発明を実施するための最良の形態】
【００１７】
以下に、本発明手書き入力装置の最良の形態を添付図面に従って説明する。
【００１８】
以下に示す最良の形態は、本発明手書き入力装置をパーソナルコンピューターに適用したものである。
【００１９】
尚、本発明手書き入力装置の適用範囲はパーソナルコンピューターに限られることはなく、ＰＤＡ（Personal Digital Assistant）、ネットワーク端末、携帯情報端末、ワークステーション等の入力ペンを用いて手書き入力が可能とされる各種の電子機器に広く適用することができる。
【００２０】
手書き入力装置１は、図１に示すように、手書入力の対象となる装置本体２と、該装置本体２に対して情報入力等を行うための入力ペン（スタイラス）３と、該入力ペン３を装置本体２に吊り下げるストラップ４と、装置本体２を保護するカバー５とを備えている。
【００２１】
装置本体２は筐体６に所要の各部が配置されて成る（図１及び図２参照）。筐体６は、例えば、横長の扁平な矩形状に形成され、前面６ａにディスプレイ７、例えば、液晶パネルが設けられている。装置本体２の左右両側面６ｂ、６ｂには、それぞれストラップ取付部６ｃ、６ｃが形成されている（図１及び図３参照）。
【００２２】
装置本体２にあっては、ディスプレイ７にタッチパネル（タブレット）が一体的に組み込まれており、ディスプレイ７の所定の位置を指や入力ペン３によってタップすることにより選択操作や入力操作等を行うことができる。
【００２３】
筐体６の所定の位置には、複数の操作釦８、８、・・・が設けられている。
【００２４】
入力ペン３は樹脂材料等によって、例えば、略板状のリーフ型に形成されている。入力ペン３の長手方向における一端部がペン先３ａとして設けられている。
【００２５】
ストラップ４は紐９と紐保持具１０とを有している（図４乃至図６参照）。
【００２６】
紐保持具１０は、図４及び図７に示すように、固定部１１と摺動支持部１２とが一体に形成されて成り、固定部１１に紐挿通孔１１ａが形成され、摺動支持部１２に紐支持孔１２ａが形成されている。紐挿通孔１１ａと紐支持孔１２ａは横並びの状態で位置され、ともに同じ方向に延びるように形成されている。紐挿通孔１１ａの径は、図７に示すように、紐９の径より僅かに大きく形成され、紐支持孔１２ａの径は紐９の径より稍大きく形成されている。
【００２７】
紐保持具１０の紐挿通孔１１ａに紐９が挿通され、さらに、この紐９が折り返されて紐支持孔１２ａに挿通される。従って、図５及び図６に示すように、紐９のうち、紐挿通孔１１ａと紐支持孔１２ａとの間に位置する折り返された部分が環状に形成され、この部分が使用者の手が挿入される挿入用ループ部９ａとされる。
【００２８】
紐保持具１０の固定部１１の互いに反対側に位置する紐９の部分には、それぞれストッパー１３、１４が取り付けられている。従って、固定部１１の紐挿通孔１１ａに挿入された紐９の部分は、固定部１１に対してストッパー１３、１４によって移動を規制されている。紐９はストッパー１３、１４に、例えば、圧入されて固定される。
【００２９】
挿入用ループ部９ａと反対側に位置するストッパー１３には、紐９が位置する側と反対側の部分に細径の取付紐１５が取り付けられている。取付紐１５は環状に形成された状態でストッパー１３に取り付けられている。
【００３０】
紐９のうち、ストッパー１３、１４が取り付けられた側と反対側の端部９ｂ寄りの位置には、ストッパー１６が取り付けられている。端部９ｂは環状に形成されている。
【００３１】
以上のように構成されたストラップ４において、紐９を紐保持具１０の摺動支持部１２に対してスライドさせることにより、挿入用ループ部９ａの径を任意の大きさに調節することができる（図５及び図６参照）。このとき挿入用ループ部９ａの径を調節することにより、紐保持具１０からストッパー１６までの紐９の長さが変更される。尚、挿入用ループ部９ａは、ストッパー１６が紐保持具１０に当接した状態において、最大の長さとなる（図６参照）。
【００３２】
ストラップ４は取付紐１５が装置本体２の何れかのストラップ取付部６ｃ、６ｃに取り付けられることにより装置本体２に連結される（図８参照）。
【００３３】
紐９の端部９ｂには着脱具１７が保持されている。着脱具１７は、図５に示すように、着脱可能とされた第１の部分１８と第２の部分１９とから成り、第１の部分１８と第２の部分１９にはそれぞれリング部１８ａ、１９ａが設けられている。
【００３４】
着脱具１７は第１の部分１８のリング部１８ａに紐９が挿通されることにより端部９ｂに保持されている。
【００３５】
入力ペン３は、ペン先３ａと反対側の端部に取り付けられた支持リング２０が第２の部分１９のリング部１９ａに挿入されて取り付けられることにより、支持リング２０及び着脱具１７を介してストラップ４に連結される。
【００３６】
カバー５は、例えば、第１の保護面部２１、第２の保護面部２２、第３の保護面部２３、第４の保護面部２４の４つの保護面部と１つの取付面部２５とから成る（図９参照）
第１の保護面部２１及び第３の保護面部２３は、それぞれ装置本体２の上面６ｄ、下面６ｅに対応して細長の矩形状に形成され、第２の保護面部２２及び第４の保護面部２４は、それぞれ装置本体２の後面６ｆ、前面６ａに対応して大きな矩形状に形成されている。
【００３７】
第１の保護面部２１と第２の保護面部２２は第１の折り曲げ部２６によって連結され、第２の保護面部２２と第３の保護面部２３は第２の折り曲げ部２７によって連結され、第３の保護面部２３と第４の保護面部２４は第３の折り曲げ部２８によって連結され、第１の保護面部２１と取付面部２５は第４の折り曲げ部２９によって連結されている。従って、カバー５は、順に、取付面部２５、第１の保護面部２１、第２の保護面部２２、第３の保護面部２３、第４の保護面部２４が連結されることにより構成されている。
【００３８】
従って、カバー５は、第１の折り曲げ部２６、第２の折り曲げ部２７、第３の折り曲げ部２８及び第４の折り曲げ部２９を折り曲げることにより、種々の形状に形成することが可能である。
【００３９】
第１の保護面部２１、第２の保護面部２２、第３の保護面部２３、第４の保護面部２４及び取付面部２５の内部には、それぞれ板状の保護材２１ａ、２２ａ、２３ａ、２４ａ、２５ａが配置されている。保護材２１ａ、２２ａ、２３ａ、２４ａ、２５ａは、例えば、樹脂材料や厚紙等によって形成され、カバー５の剛性を高める役割を果たす。
【００４０】
第１の保護面部２１の一方の面２１ｂ、即ち、カバー５が装置本体２を覆った状態において下面６ｅに対向する面には、左右に離隔してフック部３０、３０、３０が設けられている。フック部３０、３０、３０は、例えば、第１の保護面部２１の一部が切り起こされることにより形成されている。尚、フック部３０、３０、３０は、第１の保護面部２１の一部を切り起こして形成したものに限られることはなく、釦状の部材やフック状の部材を取り付けて構成する等、ストラップ４の紐９が止着され、繰り返し使用に耐え得る耐久性の高いものであればよい。
【００４１】
第２の保護面部２２の左右両側縁における第１の保護面部２１寄りの位置には、それぞれ第１の係止用凹部２２ｂ、２２ｂが形成されている。
【００４２】
第４の保護面部２４の第３の折り曲げ部２８と反対側の端縁２４ｂには、左右に離隔して第２の係止用凹部２４ｃ、２４ｃが形成されている。第４の保護面部２４には、第２の係止用凹部２４ｃ、２４ｃの間の位置に、取付釦３１が設けられている。
【００４３】
取付面部２５には取付釦３２が設けられている。
【００４４】
カバー５は、第１の折り曲げ部２６、第２の折り曲げ部２７、第３の折り曲げ部２８及び第４の折り曲げ部２９が同じ方向に折り曲げられることにより、装置本体２を外側から覆って保護する形状である角筒状に形成される。
【００４５】
装置本体２がカバー５によって保護された状態においては、第１の保護面部２１が下面６ｅに対向して位置され、第２の保護面部２２が後面６ｆに対向して位置され、第３の保護面部２３が上面６ｄに対向して位置され、第４の保護面部２４が前面６ａに対向して位置される。取付面部２５は第４の保護面部２４の一部に重ねられ、取付釦３１と取付釦３２が結合されることにより、カバー５の装置本体２からの脱落が防止される。
【００４６】
このように装置本体２がカバー５によって保護された状態においては、装置本体２に対して外部からの衝撃等が付与されても装置本体２の損傷が防止されると共に装置本体２への塵埃等の付着が防止される。
【００４７】
装置本体２がカバー５によって覆われた状態においては、内部に保護材２２ａが配置された第２の保護面部２２とディスプレイ７とが対向して位置されるため、外部からの衝撃等によるディスプレイ７の損傷を防止することができる。
【００４８】
カバー５は装置本体２を保持するスタンドとしても機能する（図１及び図１０参照）。
【００４９】
カバー５をスタンドとして使用するときには、先ず、第１の保護面部２１及び取付面部２５を机上等の載置面１００に載置し、第２の保護面部２２及び第４の保護面部２４を載置面１００に対して起立又は傾斜させた状態とし、第４の保護面部２４の端縁２４ｂを載置面１００に当接させる。
【００５０】
次に、ストラップ４が取り付けられた状態の装置本体２を後面６ｆが第１の保護面部２１に接するように立て掛け、ストラップ４の紐９を順に一方の第１の係止用凹部２２ｂ、第２の係止用凹部２４ｃ、２４ｃ、他方の第１の係止用凹部２２ｂに挿入して係止する。このとき弛みが生じないように紐９を各係止用凹部２２ｂ、２４ｃ、２４ｃ、２２ｂに係止する。
【００５１】
最後に、紐９のストッパー１６側の任意の部分を任意のフック部３０に係合し、紐９をフック部３０に止着する。
【００５２】
紐９がフック部３０に止着された状態においては、紐９によってカバー５の各部の載置面１００に対する倒れが防止され、カバー５の載置面１００に対する安定した起立状態を確保することができる。
【００５３】
また、カバー５の載置面１００に対する安定した起立状態を確保するために、予め付設されたストラップ４を用いているため、カバー５に安定した起立状態を確保するための別の保持機構を設ける必要がなく、手書き入力装置１の大型化や重量化等を来たすことなく、簡易な構成により起立状態の安定化を図ることができる。
【００５４】
ストラップ４は、上記したように、紐９を紐保持具１０の摺動支持部１２に対してスライドさせることにより長さの調節が可能であるため、ストラップ４の長さを調節して任意のフック部３０、３０、３０に紐９を止着することにより、載置面１００に対する第２の保護面部２２の傾斜角度を変更して、該第２の保護面部２２に立て掛けられる装置本体２を所望の角度に設定することができる。
【００５５】
尚、上記には、紐９を紐保持具１０の摺動支持部１２に対してスライドさせることにより長さの調節が可能である例を示したが、例えば、紐９をゴム等の伸縮性を有する材料によって形成し、長さの調節を可能としてもよい。
【００５６】
また、カバー５の各保護面部２１、２２、２３、２４の内部に板状の保護材２１ａ、２２ａ、２３ａ、２４ａが配置されているため、カバー５の剛性が高く、載置面１００に対する安定した起立状態を確保することができ、また、カバー５に装置本体２を安定した状態で立て掛けることができるため、立て掛けた状態における装置本体２に対する操作性の向上を図ることができる。
【００５７】
尚、カバー５をスタンドとして用いる場合には、図１に示すように、第３の保護面部２３と第４の保護面部２４を開いた状態としてもよく、また、図１１に示すように、第３の保護面部２３と第４の保護面部２４を重ねた状態としてもよい。第３の保護面部２３と第４の保護面部２４を重ねた状態でカバー５をスタンドとして使用する場合には、装置本体２の載置面１００に対する傾斜角度を小さく設定することが可能である。
【００５８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５９】
【図１】図２乃至図１１と共に本発明の最良の形態を示すものであり、本図は手書き入力装置を装置本体とカバーとを分離した状態で示す斜視図である。
【図２】装置本体とこれに取り付けられたストラップ及び入力ペンを示す斜視図である。
【図３】図２とは異なる方向から見た状態で示す装置本体の斜視図である。
【図４】ストラップと入力ペンを示す拡大正面図である。
【図５】ストラップと入力ペンを示す斜視図である。
【図６】ストラップと入力ペンを示すものであり、挿入用ループ部が最大の長さとされている状態を示す斜視図である。
【図７】紐保持具の拡大断面図である。
【図８】入力ペンの装置本体への取付方法を示す拡大斜視図である。
【図９】カバーの展開図である。
【図１０】カバーをスタンドとして使用するときの状態を示す側面図である。
【図１１】カバーをスタンドとして使用するときの別の状態を示す側面図である。
【符号の説明】
【００６０】
１…手書き入力装置、２…装置本体、３…入力ペン、４…ストラップ、５…カバー、６ｃ…ストラップ取付部、７…ディスプレイ、２１…第１の保護面部、２１ａ…保護材、２２…第２の保護面部、２２ａ…保護材、２２ｂ…第１の係止用凹部、２３…第３の保護面部、２３ａ…保護材、２４…第４の保護面部、２４ａ…保護材、２４ｃ…第２の係止用凹部、２６…第１の折り曲げ部、２７…第２の折り曲げ部、２８…第３の折り曲げ部、２９…第４の折り曲げ部３０…フック部
【図１】
2006155050.tif 000003
【図２】
2006155050.tif 000004
【図３】
2006155050.tif 000005
【図４】
2006155050.tif 000006
【図５】
2006155050.tif 000007
【図６】
2006155050.tif 000008
【図７】
2006155050.tif 000009
【図８】
2006155050.tif 000010
【図９】
2006155050.tif 000011
【図１０】
2006155050.tif 000012
【図１１】
2006155050.tif 000013